(57)【要約】【課題】簡便かつ安全に甘皮を切除可能な甘皮除去具を提供する。【解決手段】実施の形態に係る甘皮除去具１０は、先端に扁平部２２が形成された刃受部２０と、扁平部２２に向けて形成された刃３２を先端に有する押切部３０と、を備え、押し上げられた甘皮と爪の間に扁平部２２を挿入した状態で押切部３０を刃受部２０に向けて押すことにより、甘皮が除去される。【選択図】図１
2010172556.tif 000002
【特許請求の範囲】
【請求項１】
先端に扁平部が形成された刃受部と、
前記扁平部に向けて形成された刃を先端に有する押切部と、
を備え、
押し上げられた甘皮と爪の間に前記扁平部を挿入した状態で前記押切部を前記刃受部に向けて押すことにより、前記甘皮の切除が可能であることを特徴とする甘皮除去具。
【請求項２】
前記扁平部が、前記刃受部が当接する面が凸になるように幅方向に湾曲している請求項１に記載の甘皮除去具。
【請求項３】
前記刃が前記扁平部の湾曲に合わせて湾曲している請求項２に記載の甘皮除去具。
【請求項４】
前記扁平部とは反対側の前記刃受部の先端に、甘皮を押し上げるための押上部が設けられている請求項１乃至３のいずれか１項に記載の甘皮除去具。
【発明の詳細な説明】
【技術分野】
【０００１】
本発明は、爪の付け根部分にある甘皮を除去するための甘皮除去具に関する。
【背景技術】
【０００２】
爪の付け根部分（生え際部分）は甘皮と呼ばれる薄皮によって被覆されている。爪にマニキュア液やペディキュア液を塗布する場合には、甘皮が邪魔になるため、一般にカッター、ニッパー等を用いて甘皮が予め切除する処理が行われている（特許文献１、２参照）。
【先行技術文献】
【特許文献】
【０００３】
【特許文献１】特開２０００−３５０６１６号公報
【特許文献２】特開２００５−０２７９３１号公報
【発明の概要】
【発明が解決しようとする課題】
【０００４】
従来の甘皮除去具では、刃を爪の根本に向けて使用する必要があり、甘皮を切除する際に、甘皮周辺の皮膚や爪を痛めるおそれがあった。また、従来の甘皮除去具を用いて甘皮を切除する場合には、甘皮を除去する処理にある程度習熟する必要があり、より簡便に甘皮を切除する甘皮除去具が望まれている。
【０００５】
本発明はこうした課題に鑑みてなされたものであり、その目的は、甘皮を安全かつ簡便に除去することができる甘皮除去具の提供にある。
【課題を解決するための手段】
【０００６】
本発明のある態様は、甘皮除去具である。当該甘皮除去具は、先端に扁平部が形成された刃受部と、扁平部に向けて形成された刃を先端に有する押切部と、を備え、押し上げられた甘皮と爪の間に扁平部を挿入した状態で押切部を刃受部に向けて押すことにより、甘皮の切除が可能であることを特徴とする。
【０００７】
この態様の甘皮除去具によれば、甘皮と爪の間に扁平部を挿入した状態で押切部に設けられた刃を刃受部に向けて押し付けるだけで済み、刃３２を爪に向けて使用する必要がないため、甘皮周辺の皮膚や爪を傷つけるおそれを低減しつつ、より簡便に甘皮を切除することができる。
【０００８】
上記態様の甘皮除去具において、扁平部が、刃受部が当接する面が凸になるように幅方向に湾曲していてもよい。また、刃が扁平部の湾曲に合わせて湾曲していてもよい。また、扁平部とは反対側の刃受部の先端に、甘皮を押し上げるための押上部が設けられていてもよい。
【発明の効果】
【０００９】
本発明によれば、簡便かつ安全に甘皮を除去することができる。
【図面の簡単な説明】
【００１０】
【図１】実施の形態に係る甘皮除去具の斜視図である。
【図２】実施の形態に係る甘皮除去具の平面図である。
【図３】実施の形態に係る甘皮除去具の側面図である。
【図４】図２のＡ−Ａ線に沿った断面図である。
【図５】甘皮除去具の使用方法を示す概略図である。
【発明を実施するための形態】
【００１１】
図１は、実施の形態に係る甘皮除去具１０の斜視図である。図２は、実施の形態に係る甘皮除去具１０の平面図である。図３は、実施の形態に係る甘皮除去具１０の側面図である。図４は、図２のＡ−Ａ線に沿った断面図である。
【００１２】
甘皮除去具１０は、刃受部２０、押切部３０および押上部４０を備える。甘皮除去具１０の材料としては、たとえば、ＳＵＳなどの金属が挙げられる。
【００１３】
刃受部２０は棒状の部材であり、刃受部２０の一方の先端にへら状の扁平部２２が設けられている。扁平部２２は、押切部３０に面する側が凸になるように、幅方向に湾曲している。扁平部２２の湾曲の度合いは、爪の生え際部分の湾曲の度合い程度が望ましく、たとえば、成人女性の五指の爪の生え際部分における横方向の曲率の平均値程度である。
【００１４】
押切部３０は刃受部２０と対になる棒状の部材である。押切部３０の一方の端部は、接続部３４を介して刃受部２０の他方の端部に固定されている。接続部３４の材料は、たとえば、ＳＵＳ３０４である。接続部３４は、押切部３０と刃受部２０との隙間を調節する役割を有する。
【００１５】
本実施の形態では、押切部３０の他方の端部が扁平部２２に向けて折れ曲がった鈎状となっており、押切部３０の他方の端部には、扁平部２２に向けて形成された刃３２が形成されている。刃３２の材料としては、ＳＵＳ４３０Ｊ２が挙げられる。刃３２は、扁平部２２の湾曲に合わせて湾曲していることが望ましい。通常の状態では、刃３２は扁平部２２と離間しており、押切部３０を刃受部２０に向けて押圧することにより、扁平部２２の一方の主表面に刃３２が当接する。
【００１６】
押上部４０は、刃受部２０の他方の先端に設けられたへら状の部材である。押上部４０は、扁平部２２と同様に幅方向に湾曲している。押上部４０の湾曲の度合いは、爪の生え際部分の湾曲の度合い程度が望ましく、たとえば、成人女性の五指の爪の生え際部分における横方向の曲率の平均値程度である。また、押上部４０の先端形状は、爪の生え際部分の爪と皮膚との境目のカーブに合うように丸みを帯びている。これにより、押上部４０を甘皮と爪との間に押し込んだときに、爪や皮膚を傷つけることなく、容易に甘皮を押し上げることができる。なお、扁平部２２の先端形状も、押上部４０と同様に、爪の生え際部分の爪と皮膚との境目のカーブに合うように丸みを帯びていることが望ましい。これにより、扁平部２２を用いて押上部４０と同様に、爪や皮膚を傷つけることなく、容易に甘皮を押し上げることができる。また、扁平部２２の先端形状のカーブの曲率は押上部４０の先端形状のカーブの曲率と異なっていることが望ましい。これによれば、爪の生え際部分の爪と皮膚との境目のカーブに応じて、扁平部２２、押上部４０のいずれかを用いて甘皮を押し上げることができる。
【００１７】
（使用方法）
図５は、実施の形態に係る甘皮除去具の使用方法を示す概略図である。
【００１８】
まず、図５（Ａ）に示すように、甘皮６０と爪７０との間に隙間ができるように、押上部４０を甘皮６０と爪７０の間に押し込んで甘皮を浮かせる。
【００１９】
次に、図５Ｂ）に示すように、甘皮除去具１０を持ち替え、押し上げられた甘皮６０と爪７０の間に扁平部２２を挿入した状態し、押切部３０を刃受部２０に向けて押すことにより、甘皮６０を切除する。
【００２０】
以上の手順により、本実施の形態に係る甘皮除去具１０を用いて甘皮を除去することができる。
【００２１】
なお、甘皮を浮かせるに際し、押上部４０を用いる代わりに、扁平部２２を用いて甘皮を押し上げて使用してもよい。
【００２２】
実施の形態に係る甘皮除去具１０は、甘皮を切除する場合に、押切部３０に設けられた刃３２を刃受部２０に向けて押し付けるだけで済み、刃３２を爪に向けて使用する必要がないため、甘皮周辺の皮膚や爪を傷つけるおそれを低減しつつ、より簡便に甘皮を切除することができる。
【００２３】
また、刃３２の幅で浮いた甘皮を一括して切除することができるため、甘皮の切断面が滑らかとなり、甘皮を見栄えよく切除することができる。
【００２４】
また、実施の形態に係る甘皮除去具１０は、甘皮を浮かせるための押上部４０と、甘皮を切除するための刃受部２０および押切部３０とが一体形成されているため、構造が簡便であり、持ち運びや保管が容易である。
【符号の説明】
【００２５】
１０  甘皮除去具、２０  刃受部、２２  扁平部、３０  押切部、３２  刃、４０  押上部
【図１】
2010172556.tif 000003
【図２】
2010172556.tif 000004
【図３】
2010172556.tif 000005
【図４】
2010172556.tif 000006
【図５】
2010172556.tif 000007